(57)【特許請求の範囲】
【請求項１】
モータユニット（５）が取り付けられたファン構造体（７）と、このファン構造体（７）を支持する底フレーム（１０）とを備え、
前記底フレーム（１０）は、前記ファン構造体（７）の一方の端部から突出する回転軸を受ける軸受部（１７）と、前記ファン構造体（７）の他方の端部にある前記モータユニット（５）を配置するモータユニット配置部（１５）とを有し、前記モータユニット配置部（１５）は、軸方向幅（ＷＵ）の長さが異なる複数種のモータユニットが収容可能な大きさに構成され、
前記モータユニット（５）は、軸方向幅（ＷＵ）が前記モータユニット配置部（１５）の横幅（ＷＭ）よりも小さいものであり、
前記モータユニット（５）には、軸方向に延びて、前記モータユニット配置部（１５）に前記モータユニット（５）を配置したときに生じる余剰空間（Ｓ）に対応する長さに設定された凸部（５６ａ）が設けられている
空気調和機の室内機。
【請求項２】
請求項１に記載の空気調和機の室内機（１）において、
前記凸部（５６ａ）は、前記ファン構造体が前記底フレーム（１０）に取り付けられた状態で前記モータユニット配置部（１５）を構成する底面（１５ａ）に接触するように、前記モータユニット（５）に設けられている
空気調和機の室内機。
【請求項３】
請求項１または２に記載の空気調和機の室内機（１）において、
前記凸部（５６ａ）は、前記モータユニット（５）のモータケース（５４）に設けられている
空気調和機の室内機。
【請求項４】
請求項３に記載の空気調和機の室内機（１）において、
前記モータケース（５４）は、円環形状のケース本体（５５）と、このケース本体（５５）に嵌められる蓋体（６０）とを有し、前記ケース本体（５５）と一体に、または前記蓋体（６０）と一体に前記凸部（５６ａ）が設けられている
空気調和機の室内機。
【請求項５】
請求項３に記載の空気調和機の室内機（１）において、
前記凸部（５６ａ）は、前記モータケース（５４）の蓋体（６０）の取手として設けられている
空気調和機の室内機。
【発明の詳細な説明】
【技術分野】
【０００１】
本発明は、空気調和機の室内機についてファン構造体の取付け構造に関する。
【背景技術】
【０００２】
クロスフローファンとモータユニットとが互いに取り付けられて一つ構造物として構成されたファン構造体を有する空気調和機の室内機が知られている。ファン構造体は底フレームの所定のところに配置される（特許文献１参照）。
【０００３】
ところで、室内機の多種多様化に対して製造ラインの効率化を図るため、底フレームの共通化が図られている。具体的には、底フレームは、多種多様なファン構造体の取り付けが可能に構成されている。
【０００４】
ファン構造体においては、室内機の仕様によっては共通のクロスフローファンに対し異なる構造のモータユニットが用いられている。これらモータユニットは、モータ仕様に対応してモータユニットそれぞれは軸方向幅が異なる。このように、ファン構造体に用いられるモータユニットの構造が異なるため、底フレームは、モータユニットを配置する部分が軸方向幅の最も大きいモータユニットに合うように構成されている。
【先行技術文献】
【特許文献】
【０００５】
【特許文献１】特開２００８−８８８３１号公報
【発明の概要】
【発明が解決しようとする課題】
【０００６】
しかし、このような構造の場合、取り付け可能なファン構造体のうちで軸方向幅が比較的小さいモータユニットについて、そのファン構造体の取り付けが円滑に行えないといった問題がある。具体的には次のとおりである。
【０００７】
図１１に、底フレームに対するファン構造体の配置を示す。
ファン構造体１１０の取付け作業では、まず、ファン構造体１１０の一方の端部にある回転軸を底フレーム１００の軸受部に挿入して片持ち状態にする。次いで、このファン構造体１１０のモータユニット１２０を所定箇所に配置する。
【０００８】
軸方向幅が比較的小さいモータユニット１２０を有するファン構造体１１０の場合、図１１に示すように、モータユニット１２０の側方に大きい余剰空間Ｓが生じる。このため、ファン構造体１１０が軸方向（矢印方向）に移動しやすくなり、作業者が注意してファン構造体１１０を軸受部側にファン構造体１１０を押し続けなければ、ファン構造体１１０の回転軸（モータユニット１２０とは反対側の回転軸）が軸受部から外れるといったことが生じる。ファン構造体１１０の回転軸が軸受部から外れると、再度ファン構造体１１０の取付け作業を始めから行わなければならず、手間となる。このようなことからファン構造体１１０の取付け作業が容易な室内機が要求されている。
【０００９】
本発明はこのような事情に鑑みてなされたものであり、その目的は、ファン構造体の取付け作業が容易な空気調和機の室内機を提供することにある。
【課題を解決するための手段】
【００１０】
課題を解決する空気調和機の室内機は、モータユニットが取り付けられたファン構造体と、このファン構造体を支持する底フレームとを備え、前記底フレームは、前記ファン構造体の一方の端部から突出する回転軸を受ける軸受部と、前記ファン構造体の他方の端部にある前記モータユニットを配置するモータユニット配置部とを有し、前記モータユニット配置部は、軸方向幅の長さが異なる複数種のモータユニットが収容可能な大きさに構成され、前記モータユニットは、軸方向幅が前記モータユニット配置部の横幅よりも小さいものであり、前記モータユニットには、軸方向に延びて、前記モータユニット配置部に前記モータユニットを配置したときに生じる余剰空間に対応する長さに設定された凸部が設けられている。
【００１１】
ファン構造体を底フレームに取付ける作業では、まず、ファン構造体の一方の端部にある回転軸を底フレームの軸受部に挿入して片持ち状態にし、次いで、このファン構造体のモータユニットを所定箇所に配置する。この作業において、ファン構造体が軸方向に移動すると、回転軸が軸受部から外れる。これに対して、上記構成によれば、ファン構造体が軸方向に移動すると、凸部がモータユニット配置部の側端部に接触し、ファン構造体の軸方向への移動が規制される。このため、ファン構造体の回転軸が軸受部から外れることが抑制される。よって、この室内機は、従来に比べてファン構造体の取付け作業が容易になる。
【００１２】
上記構成の室内機において、前記凸部は、前記ファン構造体が前記底フレームに取り付けられた状態で前記モータユニット配置部を構成する底面に接触するように、前記モータユニットに設けられていることが好ましい。
【００１３】
この構成では、モータユニット配置部にモータユニットを配置すると、モータユニット配置部の底面に当接するように凸部が配置される。すなわち、モータユニット配置部にモータユニットを配置したことにより生じる余剰空間に凸部が浮いた状態で存在しない。これにより余剰空間において有効活用することのできない空間を生じさせることなく、この余剰空間全体を有効に活用することができる。
【００１４】
上記構成の室内機において、前記凸部は、前記モータユニットのモータケースに設けられることが好ましい。
この構成は、モータケースに凸部を設けるものであり、その構成が簡単であるため、製造上において容易に凸部を設けることができる。
【００１５】
上記構成の室内機において、前記モータケースは、円環形状のケース本体と、このケース本体に嵌められる蓋体とを有し、前記ケース本体と一体に、または前記蓋体と一体に前記凸部が設けられていることが好ましい。
【００１６】
この構成によれば、凸部を別部材としてモータケースに設けるものではなく、凸部とケース本体または蓋体とは一体に設けられるものであるため、部品点数が増大することがない。このため、凸部を別部材とする構造に比べてモータユニットの製造が簡単である。
【００１７】
上記構成の室内機において、前記凸部は、前記モータケースの蓋体の取手として設けられる構成としてもよい。
この構成では、凸部が蓋体の取手としても機能する。このため、蓋体から突出する部分を少なくすることができる。これにより、余剰空間の有効利用が図れる。
【発明の効果】
【００１８】
上記空気調和機の室内機によれば、底フレームにファン構造体を容易に取り付けることができる。
【図面の簡単な説明】
【００１９】
【図１】室内機の正面図。
【図２】室内機の側面図。
【図３】図１のＡ−Ａ線に沿う断面図。
【図４】室内機の内部構造を示す斜視図。
【図５】ファン構造体の配置構造を示す正面図。
【図６】モータユニットの構造を示す模式断面図。
【図７】モータケースのケース本体について、図７（Ａ）はその平面図、図７（Ｂ）はその側面図、図７（Ｃ）はその正面図。
【図８】モータケースの蓋体について、図８（Ａ）はその平面図、図８（Ｂ）はその側面図、図８（Ｃ）はその正面図。
【図９】底フレームのモータユニット配置部を示す拡大図。
【図１０】図１０（Ａ）は、従来の室内機について、取付け時におけるファン構造体の移動を示す模式図、図１０（Ｂ）は、実施形態に係る室内機について、取付け時におけるファン構造体の配置を示す模式図。
【図１１】従来の室内機において、底フレームとファン構造体との配置関係を示す斜視図。
【発明を実施するための形態】
【００２０】
＜室内機の構成＞
図１〜図５を参照して、空気調和機の室内機１の一例を説明する。
図１は、室内機１の正面図を示す。図２は、室内機１の側面図である。図３は、図１のＡ−Ａ線に沿う断面図である。図４は、室内機１の内部構造を示す斜視図である。図５は、ファン構造体の配置構造を示す正面図である。
【００２１】
これ以降、室内機１において図１に示される面（前面パネル４０側の面）を室内機１の正面として説明する。また、室内機１において前面パネル４０を前側とし、その反対側を後側とする。さらに、室内機１を正面視して左手側を室内機１の「左側」とし、右手側を室内機１の「右側」というものとする。
【００２２】
図１に示すように、室内機１は、正面視で横長の矩形を呈する。
また、図２に示すように、室内機１は、裏面側が略平坦であり、上面が前方に向けて緩やかに下降し、前面から下面にかけて湾曲した外形構造を有する。この室内機１は壁掛け型であり、裏面が壁に面するようにして室内機１が壁に取り付けられる。
【００２３】
室内機１は、熱交換器３と、クロスフローファン４と、モータユニット５（図５参照）と、制御ユニット６（図４参照）と、これら機器を収容する室内機ケーシング２とを備える。
【００２４】
図３に示すように、熱交換器３は、クロスフローファン４の後側から前側にわたるように構成される。具体的には、熱交換器３は、後方に配置される第１熱交換器３１と、前方に配置される第２熱交換器３２とにより構成される。第１熱交換器３１と第２熱交換器３２とは上端部で互いに接続され、下端部が互いに離れるように構成されている。
【００２５】
クロスフローファン４は、熱交換器３の風下に配置される。
制御ユニット６は、図４に示すように、室内機１の側方に配置される。制御ユニット６は、空気調和機の運転制御に係るものであって、例えば、モータユニット５や風向調節羽根８等を制御する。
【００２６】
室内機ケーシング２は、クロスフローファン４、モータユニット５、及び制御ユニット６を支持する底フレーム１０と、底フレーム１０に取り付けられるケーシング２０と、ケーシング２０に開閉可能に取り付けられる前面パネル４０とを備える。
【００２７】
図３及び図５を参照して、底フレーム１０の構造を説明する。
図３に示すように、底フレーム１０は、クロスフローファン４を収容するファン収容部１１と、ファン収容部１１よりも後方に設けられた第１ドレンパン１２と、ファン収容部１１よりも前方に設けられた第２ドレンパン１３とを有する。
【００２８】
ファン収容部１１の下方には空気吹出口１４が設けられている。この空気吹出口１４には風向調節羽根８が取り付けられる。第１ドレンパン１２は、第１熱交換器３１の下側の端部に対応して設けられる。第２ドレンパン１３は、第２熱交換器３２の下側の端部に対応して設けられる。
【００２９】
図５に示すように、底フレーム１０は、更に、モータユニット５が配置される部分（以下、「モータユニット配置部１５」という。）と、制御ユニット６が配置される部分（以下、「制御ユニット配置部１６」という。）と、クロスフローファン４の回転軸４ａを支持する軸受部１７を有する。
【００３０】
モータユニット配置部１５は、クロスフローファン４が収容される部分であるファン収容部１１の側方に配置される。制御ユニット配置部１６は、モータユニット配置部１５よりも外側に配置される。軸受部１７は、ファン収容部１１に対してモータユニット配置部１５とは反対側に設けられている。
【００３１】
底フレーム１０は、クロスフローファン４にモータユニット５が取り付けられて一体構造となったファン構造体７が取り付けられる構造を有し、かつ構造が類似する各種のファン構造体７の取り付けが可能である構成を有する。以下、この点について説明する。
【００３２】
室内機１に要求される仕様の多様化に伴い、モータユニット５の仕様が細分化している。このような状況に対応するため、外形及び構造が類似する一連の室内機１において、機種毎にモータユニット５の仕様が異ならせている。なお、クロスフローファン４を共通部品とされる。クロスフローファン４を共通化するのは、製造上の効率化を図るためである。
【００３３】
クロスフローファン４を共通部品として有するファン構造体７それぞれは、底フレーム１０への取付けの効率化の観点から、互いに類似する外形構造を有する。具体的には、シリーズに係るファン構造体７のモータユニット５それぞれは、軸方向に垂直な断面構造が類似するように構成されている。
【００３４】
モータユニット５に対する仕様要求に対しては内部構造を変更することで、その仕様の多様性に対応する。モータユニット５の直径には上記理由により制約があるため、モータ構造に対応してモータユニット５の軸方向幅ＷＵを異ならせている。
【００３５】
このように、シリーズに係るファン構造体７は、クロスフローファン４を共通部品とし、モータユニット５の軸方向幅ＷＵの寸法が異なる。
一方、シリーズに係るファン構造体７を取り付け可能とする底フレーム１０は、構造の異なる各種のファン構造体７についてその配置が可能であるように、モータユニット配置部１５の軸方向幅ＷＵが最も大きいモータユニット５に適合するように構成されている。
【００３６】
次に、図５を参照して、ファン構造体７の一例を示す。
ファン構造体７は、クロスフローファン４と、このクロスフローファン４の端面に取り付けられるモータユニット５とを備える。モータユニット５はクロスフローファン４を回転させる。モータユニット５は、底フレーム１０のモータユニット配置部１５に配置されて、ねじ等で底フレーム１０に固定される。
【００３７】
図６に、モータユニット５の模式断面図を示す。
モータユニット５はいわゆるアウターロータ型モータである。モータユニット５は、ロータコア５１と、ステータコア５２と、モータケース５４とを備える。
【００３８】
ロータコア５１は、クロスフローファン４の端面の外側で周方向に沿って配列される。
ステータコア５２は、モータケース５４に固定されるものであり、またロータコア５１の内側に配置される。ステータコア５２は、クロスフローファン４の回転軸４ｂが挿入される軸受部５３を有する。
【００３９】
図７及び図８を参照して、モータケース５４について説明する。
図７（Ａ）はケース本体５５の平面図（図７（Ｂ）の矢印Ｘ１から見た図。）であり、図７（Ｂ）はケース本体５５の側面図であり、図７（Ｃ）はケース本体５５の正面図（図７（Ｂ）の矢印Ｘ２から見た図。）である。なお、図７（Ｃ）に示すケース本体５５の正面は、室内機１の正面に現れる。
【００４０】
図８（Ａ）は蓋体６０の平面図（図８（Ｂ）の矢印Ｙ１から見た図。）であり、図８（Ｂ）は蓋体６０の側面図であり、図８（Ｃ）は蓋体６０の正面図（図８（Ｂ）の矢印Ｙ２から見た図。）である。なお、図８（Ｃ）に示す蓋体６０の正面は、室内機１の正面に現れる。
【００４１】
モータケース５４は、ケース本体５５と、蓋体６０とを備える。
ケース本体５５は、骨格をなす円環部５６と、モータユニット配置部１５のねじ孔１５ｃにねじで締結されるねじ締結部５７と、底フレーム１０に対してモータユニット５を位置決めする位置決め部５８と、モータユニット配置部１５に設けられた係合部１５ｂと係合する係合爪５９とを有する。
【００４２】
ねじ締結部５７は、円環部５６の端面から軸方向Ｃに延びる延長部５７ａと、この延長部５７ａから径方向外側に延びてねじ孔５７ｂが設けられているねじ孔部５７ｃとを有する。
【００４３】
位置決め部５８は、円環部５６の外周面から径方向に突出する突出板５８ａと、この突出板５８ａを貫通する貫通孔５８ｂとを有する。モータユニット配置部１５に設けられた係合突起１５ｄがこの貫通孔５８ｂに挿通することで、底フレーム１０に対してモータユニット５が位置決される。
【００４４】
係合爪５９は、円環部５６の外周面から突出するように設けられている。また、図７に示す例では、２つの係合爪５９が設けられ、これら係合爪５９は軸方向Ｃに沿って並べられている。
【００４５】
更に、ケース本体５５には、円環部５６の外周部からモータケース５４の軸方向Ｃに沿って突出する凸部５６ａが設けられている。凸部５６ａは、径方向において厚さｄが円環部５６の厚さＤよりも小さい。
【００４６】
凸部５６ａの軸方向の長さＬは、ファン構造体７を底フレーム１０に配置する際にモータユニット配置部１５の側端部１５ｅに接触可能な寸法に設定されている。具体的には、凸部５６ａの軸方向の長さＬ（図１０（Ｂ）参照）は、ファン構造体７を底フレーム１０に配置したときに外側に生じる余剰空間Ｓの横幅ＷＳ（モータユニット５の制御ユニット６側の端面の位置から側端部１５ｅまでの距離）に対応する長さに設定される。更には、凸部５６ａの軸方向の長さＬが余剰空間Ｓの横幅ＷＳよりも若干短く、かつ凸部５６ａの軸方向の長さＬと余剰空間Ｓの横幅ＷＳとの差が、クロスフローファン４の回転軸４ａのうちで軸受部１７に挿入する部分の長さよりも小さいことがより好ましい。
【００４７】
また、凸部５６ａは、ファン構造体７が底フレーム１０に取り付けられた状態のとき、モータユニット配置部１５を構成する底面１５ａに接触するように設けられている。なお、凸部５６ａは、その強度向上のため円環部５６と一体に形成されることが好ましい。
【００４８】
図８に示すように、蓋体６０は略円形であり、ケース本体５５の一方の開口部５５ａを塞ぐ。蓋体６０は、板状の蓋本体６１と、蓋本体６１の外周に設けられて軸方向に突出しモータ配線を覆う配線カバー部６１ａと、ケース本体５５から蓋体６０を取り外すときに用いられる取手６１ｂが設けられている。
【００４９】
次に、図９を参照して、モータユニット配置部１５の構造について説明する。図９は、底フレーム１０におけるモータユニット配置部１５の拡大図である。
モータユニット配置部１５は、上記したように、各種のモータユニット５の取り付けが可能であるように構成されている。モータユニット配置部１５の軸方向に垂直な断面構造は、対応シリーズの複数種のモータユニット５が嵌合する円弧に構成されている。
【００５０】
モータユニット配置部１５の横幅ＷＭ（左右方向の幅）は、対応シリーズのモータユニット５のうちで最も軸方向幅ＷＵが大きいものに対応する寸法に設定されている。
また、モータユニット配置部１５には、各種のモータユニット５の固定が可能なように、複数種の締結構造及び係合構造が設けられている。
【００５１】
具体的には、モータユニット配置部１５には、モータケース５４に設けられた係合爪５９と係合する係合部１５ｂが設けられている。係合部１５ｂは、係合爪５９が係合する凹部として構成される。係合部１５ｂは、係合爪５９それぞれに対応して設けられる。本実施形態では、モータケース５４に２つの係合爪５９が設けられているため、これらの係合爪５９に対応して２つの係合部１５ｂがモータユニット配置部１５に設けられている。
【００５２】
モータユニット配置部１５の下辺には、各種モータユニット５の固定が可能なように３種類のねじ孔１５ｃが設けられている。モータケース５４に設けられたねじ締結部５７を挿通するねじをこのねじ孔１５ｃにねじ入れることにより、モータユニット配置部１５に対してモータユニット５が固定される。なお、本実施形態に係るモータユニット５では、３種類のねじ孔１５ｃのうちの中央のねじ孔１５ｃがねじ締結のために用いられる（図５参照）。
【００５３】
また、モータユニット配置部１５の下辺には、モータケース５４に設けられた位置決め部５８の貫通孔５８ｂに挿通する係合突起１５ｄが設けられている。モータユニット５をモータユニット配置部１５に配置するときに、モータケース５４の位置決め部５８の貫通孔５８ｂに係合突起１５ｄを挿通することにより、モータユニット５が所定位置に位置決めされる。
【００５４】
モータユニット配置部１５の外側縁には、底面１５ａから突出する側端部１５ｅが設けられている。側端部１５ｅは、対応シリーズのモータユニット５のうちで軸方向幅ＷＵが最も大きいものの配置位置（側面の位置）よりも外側にある。側端部１５ｅには、図９に示されるようにねじ孔が設けられる場合もある。
【００５５】
＜ファン構造体の取り付け方法＞
次に、ファン構造体７の取り付け方法について説明する。
まず、クロスフローファン４にモータユニット５を取り付けてファン構造体７を構成する。次いで、このファン構造体７を底フレーム１０に取り付ける。
【００５６】
ファン構造体７を底フレーム１０に取り付ける際、まず、クロスフローファン４の左側の端面から突出する回転軸４ａを、底フレーム１０の軸受部１７（図５参照）に挿入し、ファン構造体７を片持ち状態にする。次いで、ファン構造体７のモータケース５４をモータユニット配置部１５に配置する。このとき、モータケース５４に設けられた係合爪５９をモータユニット配置部１５に設けられた係合部１５ｂに係合し、モータケース５４に設けられた位置決め部５８をモータユニット配置部１５に設けられた係合突起１５ｄに係合する。すると、モータユニット配置部１５に対してモータユニット５が位置決めされ、モータケース５４に設けられたねじ締結部５７がモータユニット配置部１５に設けられたねじ孔１５ｃに合致する。そして、ねじ締結部５７を介してねじ孔１５ｃにねじをねじ入れる。これにより、モータユニット５が底フレーム１０に固定される。
【００５７】
図１０を参照し、従来の室内機１と比較して、上記実施形態に係る室内機１の作用を説明する。
図１０（Ａ）に、従来の室内機１について、クロスフローファン４の回転軸４ａが軸受部１７から外れたときのファン構造体７の配置を示す。図１０（Ｂ）に、実施形態に係る室内機１についてファン構造体７の取付け作業時のファン構造体７の配置を示す。
【００５８】
従来の室内機１において、モータユニット配置部１５の横幅ＷＭよりも軸方向幅ＷＵが小さいモータユニット５を有するファン構造体７を上記方法により底フレーム１０に取り付けるとき、モータユニット５とモータユニット配置部１５との寸法が合致しないことから、次のような問題が生じる。ファン構造体７の取り付けの際、ファン構造体７の回転軸４ａを軸受部１７に挿入して片持ち状態にする。このとき、モータユニット５の軸方向幅ＷＵがモータユニット配置部１５の横幅ＷＭよりも小さいため、モータユニット５の側方には余剰空間Ｓが生じる。このため、作業者が注意してファン構造体７を軸受部１７側にファン構造体７を押し続けなければ、図１０（Ａ）に示すようにファン構造体７が制御ユニット配置部１６側に移動して、ファン構造体７の回転軸４ａが軸受部１７から外れる。ファン構造体７の回転軸４ａが軸受部１７から外れると、再度ファン構造体７の取付け作業を始めから行わなければならず、手間となる。
【００５９】
これに対して、実施形態に係る室内機１では、ファン構造体７のモータユニット５に凸部５６ａが設けられているため、図１０（Ｂ）に示されるように、ファン構造体７が軸方向に移動したとしても、凸部５６ａがモータユニット配置部１５の側端部１５ｅに接触し、ファン構造体７の軸方向への移動が規制される。このため、ファン構造体７の回転軸４ａが軸受部１７から外れることが抑制される。
【００６０】
以下、本実施形態に係る室内機１の効果を説明する。
（１）室内機１のモータユニット５は、その軸方向幅ＷＵがモータユニット配置部１５の横幅ＷＭよりも小さいものである。このモータユニット５には、軸方向に延びて、モータユニット配置部１５にモータユニット５を配置したときに生じる余剰空間Ｓに対応する長さに設定された凸部５６ａが設けられている。
【００６１】
ファン構造体７を底フレーム１０に取付ける作業では、まず、ファン構造体７の一方の端部にある回転軸４ａを底フレーム１０の軸受部１７に挿入して片持ち状態にし、次いで、このファン構造体７のモータユニット５を所定箇所に配置する。この作業において、ファン構造体７が軸方向に移動すると、回転軸４ａが軸受部１７から外れる。これに対して、上記構成によれば、ファン構造体７が軸方向に移動すると、凸部５６ａがモータユニット配置部１５の側端部１５ｅに接触し、ファン構造体７の軸方向への移動が規制される。このため、ファン構造体７の回転軸４ａが軸受部１７から外れることが抑制される。よって、この室内機１は、従来に比べてファン構造体７の取付け作業が容易になる。
【００６２】
また、好ましくは、凸部５６ａの軸方向の長さＬが余剰空間Ｓの横幅ＷＳよりも若干短く、かつ凸部５６ａの軸方向の長さＬと余剰空間Ｓの横幅ＷＳとの差が、クロスフローファン４の回転軸４ａのうちで軸受部１７に挿入する部分の長さよりも小さくなるように、凸部５６ａが構成される。これにより、ファン構造体７の回転軸４ａが軸受部１７から外れることが更に抑制される。
【００６３】
（２）上記室内機１において、上記凸部５６ａは、ファン構造体７が底フレーム１０に取り付けられた状態でモータユニット配置部１５を構成する底面１５ａに接触するように、モータユニット５に設けられている。
【００６４】
この構成では、モータユニット配置部１５にモータユニット５を配置すると、モータユニット配置部１５の底面１５ａに当接するように凸部５６ａが配置される。すなわち、モータユニット配置部１５にモータユニット５を配置したことにより生じる余剰空間Ｓに凸部５６ａが浮いた状態で存在しない。これにより余剰空間Ｓにおいて有効活用することのできない空間を生じさせることなく、余剰空間Ｓ全体を有効に活用することができる。
【００６５】
（３）上記室内機１において、凸部５６ａは、モータユニット５のモータケース５４に設けられることが好ましい。
この構成は、モータケース５４に凸部５６ａを設けるものであり、その構成が簡単であるため、製造上において容易に凸部５６ａを設けることができる。
【００６６】
（４）上記室内機１において、モータケース５４は、円環形状のケース本体５５と、このケース本体５５に嵌められる蓋体６０とを有する。ケース本体５５と一体に凸部５６ａが設けられている。
【００６７】
この構成によれば、凸部５６ａを別部材としてモータケース５４に設けるものではなく、凸部５６ａとケース本体５５とは一体に設けられるものであるため、部品点数が増大することがない。このため、凸部５６ａを別部材とする構造に比べてモータユニット５の製造が簡単である。
【００６８】
（他の実施形態）
なお、実施態様は上記に示した態様に限られるものではなく、これを例えば以下に示すように変更して実施することもできる。
【００６９】
・上記実施形態では、モータユニット５をアウターロータ型モータとして構成したが、モータユニット５はこの構成に限定されない。例えば、モータユニット５をインナーロータ型モータとして構成してもよい。この場合、ロータコア５１及びステータコア５２がケース本体５５に配置される。そして、ロータコア５１の出力軸の回転動力がクロスフローファン４の回転軸４ｂに伝達されるように構成される。
【００７０】
・上記実施形態では、モータケース５４のケース本体５５と一体に凸部５６ａを設けているが、凸部５６ａを蓋体６０と一体に設けるように構成してもよい。
この構成によっても同様の効果がある。すなわち、凸部５６ａを別部材としてモータケース５４に設けるものではなく、凸部５６ａを蓋体６０と一体のものとして設けるため、部品点数が増大することがない。このため、凸部５６ａを別部材とする構造に比べてモータユニット５の製造が簡単である。
【００７１】
・上記実施形態では、凸部５６ａはファン構造体７の軸方向の移動を規制するものとして構成され、他の機能を有していないが、凸部５６ａを蓋体６０に設ける場合において、凸部５６ａを蓋体６０の取手６１ｂとして設けるようにしてもより。この構成では、凸部５６ａが蓋体６０の取手としても機能する。このため、蓋体６０から突出する部分を少なくすることができる。これにより、余剰空間Ｓの有効利用が図れる。
【符号の説明】
【００７２】
１…室内機、２…室内機ケーシング、３…熱交換器、４…クロスフローファン、４ａ…回転軸、４ｂ…回転軸、５…モータユニット、６…制御ユニット、７…ファン構造体、８…風向調節羽根、１０…底フレーム、１１…ファン収容部、１２…第１ドレンパン、１３…第２ドレンパン、１４…空気吹出口、１５…モータユニット配置部、１５ａ…底面、１５ｂ…係合部、１５ｃ…ねじ孔、１５ｄ…係合突起、１５ｅ…側端部、１６…制御ユニット配置部、１７…軸受部、２０…ケーシング、３１…第１熱交換器、３２…第２熱交換器、４０…前面パネル、５１…ロータコア、５２…ステータコア、５３…軸受部、５４…モータケース、５５…ケース本体、５５ａ…開口部、５６…円環部、５６ａ…凸部、５７…ねじ締結部、５７ａ…延長部、５７ｂ…ねじ孔、５７ｃ…ねじ孔部、５８…位置決め部、５８ａ…突出板、５８ｂ…貫通孔、５９…係合爪、６０…蓋体、６１…蓋本体、６１ａ…配線カバー部、６１ｂ…取手。
【図１】
0005975021.tif 000002
【図２】
0005975021.tif 000003
【図３】
0005975021.tif 000004
【図４】
0005975021.tif 000005
【図５】
0005975021.tif 000006
【図６】
0005975021.tif 000007
【図７】
0005975021.tif 000008
【図８】
0005975021.tif 000009
【図９】
0005975021.tif 000010
【図１０】
0005975021.tif 000011
【図１１】
0005975021.tif 000012